(57)【要約】      （修正有）【課題】厚さが極めて小さく、内部の部品がより少なく、取り付け及びメンテナンスが容易なランプドライバー体型モジュール及び極薄型照明器具を提供する。【解決手段】ランプドライバー体型モジュールは、下蓋１０と、駆動アセンブリ２０と、放熱リング３０と、光源アセンブリ４０と、レンズ５０とを備え、下蓋は、リング状であり、内部に収容溝が設けられ、内側壁に切欠き１２が設けられ、駆動アセンブリは、収容溝内に設けられ、切欠きと位置合わせし、電源を接続するための第１インタフェースが設けられ、放熱リングは収容溝内に設けられ、下蓋に接続され、駆動アセンブリは、下蓋と放熱リングで形成された空間内に位置し、光源アセンブリは、放熱リング上に設けられ、駆動アセンブリに接続され、レンズは光源アセンブリ上に覆設され、下蓋に接続される。極薄型照明器具は、ベース７０と、上記ランプドライバー体型モジュールと、ランプカバー６０とを備える。【選択図】図１
0003230296.tif 000002
【実用新案登録請求の範囲】
【請求項１】
リング状の構造であり、内部に収容溝が設けられており、かつ、内側壁に切欠きが設けられている下蓋と、
前記収容溝内に設けられ、かつ、前記切欠きと位置合わせし、電源を接続するために用いられる第１インタフェースが設けられている駆動アセンブリと、
放熱リングであって、前記収容溝内に設けられ、前記下蓋に接続され、前記駆動アセンブリは、前記下蓋と前記放熱リングで形成された空間内に位置するものと、
前記放熱リング上に設けられ、かつ、前記駆動アセンブリに接続される光源アセンブリと、
前記光源アセンブリ上に覆設され、前記下蓋に接続されるレンズと、を備える、
ことを特徴とするランプドライバー体型モジュール。
【請求項２】
前記駆動アセンブリは、前記収容溝内に設けられた複数の第１係着部材によって前記下蓋に接続され、前記光源アセンブリと、前記放熱リングと、前記レンズは順次積み上げて設けられ、ネジによって前記下蓋に接続されることを特徴とする請求項１に記載のランプドライバー体型モジュール。
【請求項３】
前記切欠き上に前記切欠きを密閉するための絶縁バッフルが設けられており、前記下蓋の内孔の内側に接地用板ばねが設けられており、前記接地用板ばねは、一端が前記駆動アセンブリに電気を伝導して接続され、他端に接地線に接続するための接続溝が設けられていることを特徴とする請求項１に記載のランプドライバー体型モジュール。
【請求項４】
前記光源アセンブリは複数のＬＥＤランプが配列されているランプパネルであり、前記放熱リングは前記ランプパネルに熱を伝導して接続され、前記光源アセンブリ及び前記放熱リングはいずれも複数の部分に分けられることを特徴とする請求項１に記載のランプドライバー体型モジュール。
【請求項５】
作業面に接続するために用いられるベースと、
前記ベースに取り外し可能に接続される請求項１から４のいずれか一項に記載のランプドライバー体型モジュールと、
前記ベースに接続され、ランプドライバー体型モジュールの外部を覆設するために用いられるランプカバーと、を備える、
ことを特徴とする極薄型照明器具。
【請求項６】
前記ベースの外周に係止板及び少なくとも２つの回転キャッチが設けられており、前記係止板と少なくとも２つの前記回転キャッチが同一直線上に位置せず、前記係止板と少なくとも２つの前記回転キャッチは組み合わせて、前記ランプカバーを前記ベース上に係止するために用いられることを特徴とする請求項５に記載の極薄型照明器具。
【請求項７】
前記下蓋の内孔の側壁に係着突起が設けられており、前記ベース上に前記係着突起と係着するための第２係着部材及び前記下蓋の内孔の側壁に支持するためのブラケットが設けられていることを特徴とする請求項５に記載の極薄型照明器具。
【請求項８】
前記第２係着部材は、前記下蓋の内孔の側壁を回って周方向に設置された複数の弾性係止片を備え、それぞれの前記弾性係止片はいずれも一端が前記ベースに固着され、中央部に湾曲部を有し、他端がジョー構造であることを特徴とする請求項７に記載の極薄型照明器具。
【請求項９】
前記ブラケットはサポートベルトを備え、前記サポートベルトは、両端がそれぞれ、前記下蓋の内孔の側壁に当接し、中央部が前記下蓋の内孔を跨り、かつ、中央部が外へ突き出す弧状構造であり、前記弧状構造の中央部に内への凹み構造が設けられていることを特徴とする請求項７に記載の極薄型照明器具。
【請求項１０】
前記極薄型照明器具はさらに、
前記下蓋の内孔内に設けられ、かつ、前記サポートベルトの中央部に当接する電源アセンブリを備えることを特徴とする請求項９に記載の極薄型照明器具。
【考案の詳細な説明】
【技術分野】
【０００１】
本考案は、照明器具の技術分野に関し、より具体的には、ランプドライバー体型モジュール及び極薄型照明器具に関する。
【背景技術】
【０００２】
現在、既存の大型シーリングライト製品には、駆動アセンブリを照明器具の内部にあるヒートシンク上に内蔵するものが多く、駆動アセンブリが一定の形状及び体積を有し、そして、ランプカバーと駆動アセンブリの間の接続を安定させるために、通常、ボルトを用いて接続し、ランプソケットなどの部材上にボルト孔やナット孔を取り置く必要があるため、このようなシーリングライトは、通常、厚いものが多い。
【考案の概要】
【考案が解決しようとする課題】
【０００３】
本考案は、従来技術において存在する従来のシーリングライトが厚いという技術問題を解決するように、ランプドライバー体型モジュール及び極薄型照明器具を提供することを目的とする。
【課題を解決するための手段】
【０００４】
上記目的を実現するために、本考案は以下の技術的解決手段を採用する。リング状の構造であり、内部に収容溝が設けられて、かつ、内側壁に切欠きが設けられている下蓋と、収容溝内に設けられ、かつ、切欠きと位置合わせし、電源を接続するために用いられる第１インタフェースが設けられている駆動アセンブリと、放熱リングであって、収容溝内に設けられ、下蓋に接続され、駆動アセンブリは、下蓋と放熱リングで形成された空間内に位置するものと、放熱リング上に設けられ、かつ、駆動アセンブリに接続される光源アセンブリと、光源アセンブリ上に覆設され、下蓋に接続されるレンズと、を備えるランプドライバー体型モジュールを提供する。
【０００５】
本考案の一実施例では、駆動アセンブリは、収容溝内に設けられた複数の第１係着部材によって下蓋に接続され、光源アセンブリと、放熱リングと、レンズは順次積み上げて設けられ、ネジによって下蓋に接続される。
【０００６】
本考案の一実施例では、切欠き上に切欠きを密閉するための絶縁バッフルが設けられており、下蓋の内孔の内側に接地用板ばねが設けられており、接地用板ばねは、一端が駆動アセンブリに電気を伝導して接続され、他端に接地線に接続するための接続溝が設けられている。
【０００７】
本考案の一実施例では、光源アセンブリは複数のＬＥＤランプが配列されているランプパネルであり、放熱リングはランプパネルに熱を伝導して接続され、光源アセンブリ及び放熱リングはいずれも複数の部分に分けられる。
【０００８】
上記目的を実現するために、本考案は以下の技術的解決手段を採用する。作業面に接続するために用いられるベースと、ベースに取り外し可能に接続される上記のランプドライバー体型モジュールと、ベースに接続され、ランプドライバー体型モジュールの外部を覆設するために用いられるランプカバーと、を備える極薄型照明器具を提供する。
【０００９】
本考案の一実施例では、ベースの外周に係止板及び少なくとも２つの回転キャッチが設けられており、係止板と少なくとも２つの回転キャッチが同一直線上に位置せず、係止板と少なくとも２つの回転キャッチは組み合わせて、ランプカバーをベース上に係止するために用いられる。
【００１０】
本考案の一実施例では、下蓋の内孔の側壁に係着突起が設けられており、ベース上に係着突起と係着するための第２係着部材及び下蓋の内孔の側壁に支持するためのブラケットが設けられている。
【００１１】
本考案の一実施例では、第２係着部材は、下蓋の内孔の側壁を回って周方向に設置された複数の弾性係止片を備え、それぞれの弾性係止片はいずれも一端がベースに固着され、中央部に湾曲部を有し、他端がジョー構造である。
【００１２】
本考案の一実施例では、ブラケットはサポートベルトを備え、サポートベルトは、両端がそれぞれ、下蓋の内孔の側壁に当接し、中央部が下蓋の内孔を跨り、かつ、中央部が外へ突き出す弧状構造であり、弧状構造の中央部に内への凹み構造が設けられている。
【００１３】
本考案の一実施例では、極薄型照明器具はさらに、下蓋の内孔内に設けられ、かつ、サポートベルトの中央部に当接する電源アセンブリを備える。
【考案の効果】
【００１４】
本考案にて提供されるランプドライバー体型モジュールの有益な効果は、従来技術に比べて、本考案は、下蓋とレンズが組み合わせられて、駆動アセンブリ、放熱リング及び光源アセンブリを収容可能なハウジングを形成することにより、駆動アセンブリのハウジングを別に設けることが回避され、そして、駆動アセンブリをより薄く配置することに役立ち、モジュール全体の高さが２２ｍｍを超えないようにでき、モジュールの極薄化が実現され、照明器具の厚さを小さくすることに役立つことである。
【００１５】
本考案にて提供される極薄型照明器具の有益な効果は、従来技術に比べて、本考案は、ベースと、極薄化されたランプドライバー体型モジュールと、ランプカバーとの組み合わせにより、照明器具の厚さを極めて小さくすることができ、かつ、内部の部品がより少なくなり、取り付け及びメンテナンスが容易になることである。
【図面の簡単な説明】
【００１６】
本考案の実施例における技術的解決手段をより明確に説明するために、以下、実施例又は従来技術の説明に使用する必要がある図面について、簡単に紹介し、明らかに、以下の説明における図面は、本考案のいくつかの実施例にすぎず、当業者であれば、創造的労力をせず、これらの図面に基づいて他の図面を得ることができる。
【図１】本考案の実施例にて提供される極薄型照明器具の分解構造を示す模式図である。
【図２】本考案の実施例にて提供される極薄型照明器具の外部構造を示す模式図である。
【図３】本考案の実施例にて提供される極薄型照明器具の内部構造を示す模式図である。
【図４】本考案の実施例にて提供される極薄型照明器具の縦方向断面構造を示す模式図である。
【図５】図４における箇所Ａの構造を拡大して示す模式図である。
【考案を実施するための形態】
【００１７】
以下、本考案が解決しようとする技術問題、技術的解決手段及び有益な効果をより明確にするために、図面及び実施例と合わせて、本考案についてさらに詳細に説明する。ここで説明された具体的な実施例は本考案を解釈するものにすぎず、本考案を限定するものではない。
【００１８】
本考案にて提供されるランプドライバー体型モジュール及び極薄型照明器具について説明する。
【００１９】
図１に示すように、本考案にて提供されるランプドライバー体型モジュールは、リング状の構造であり、内部に収容溝１１が設けられており、かつ、内側壁に切欠き１２が設けられている下蓋１０と、収容溝１１内に設けられ、かつ、切欠き１２と位置合わせし、電源を接続するために用いられる第１インタフェースが設けられている駆動アセンブリ２０と、放熱リング３０であって、収容溝１１内に設けられ、下蓋１０に接続され、駆動アセンブリ２０は、下蓋１０と放熱リング３０で形成された空間内に位置するものと、放熱リング３０上に接続され、かつ、駆動アセンブリ２０に接続される光源アセンブリ４０と、光源アセンブリ４０上に覆設され、下蓋１０に接続されるレンズ５０と、を備える。
【００２０】
本考案にて提供されるランプドライバー体型モジュールは、従来技術に比べて、下蓋１０とレンズ５０が組み合わせられて、駆動アセンブリ２０、放熱リング３０及び光源アセンブリ４０を収容可能なハウジングを形成することにより、駆動アセンブリ２０のハウジングを別に設けることが回避され、そして、駆動アセンブリ２０をより薄く配置することに役立ち、モジュール全体の高さが２２ｍｍを超えないようにでき、モジュールの極薄化が実現され、照明器具の厚さを小さくすることに役立つ。
【００２１】
図１に示すように、本考案にて提供されるランプドライバー体型モジュールの具体的な実施形態として、駆動アセンブリ２０は、複数の収容溝１１内に設けられた第１係着部材によって下蓋１０に接続され、光源アセンブリ４０と、放熱リング３０と、レンズ５０は順次積み上げて設けられ、ネジによって下蓋１０に接続される。
【００２２】
図１及び図３に示すように、本考案にて提供されるランプドライバー体型モジュールの具体的な実施形態として、切欠き１２上に切欠き１２を密閉するための絶縁バッフル１３が設けられており、下蓋１０の内孔の内側に接地用板ばね１４が設けられており、接地用板ばね１４は、一端が駆動アセンブリ２０に電気を伝導して接続され、他端に接地線に接続するための接続溝が設けられている。
【００２３】
図１及び図３に示すように、本考案にて提供されるランプドライバー体型モジュールの具体的な実施形態として、光源アセンブリ４０は、複数のＬＥＤランプが配列されているランプパネルであり、放熱リング３０はランプパネルに熱を伝導して接続され、光源アセンブリ４０及び放熱リング３０は、ランプドライバー体型モジュールの生産及び組み立てを容易にするように、いずれも複数の部分に分けられる。
【００２４】
図１から図４に示すように、本考案にて提供される極薄型照明器具は、作業面に接続するために用いられるベース７０と、ベース７０に取り外し可能に接続される上記のランプドライバー体型モジュールと、ベース７０に接続され、ランプドライバー体型モジュールの外部を覆設するために用いられるランプカバー６０と、を備える。
【００２５】
本考案にて提供される極薄型照明器具は、従来技術に比べて、ベース７０と、極薄化されたランプドライバー体型モジュールと、ランプカバー６０との組み合わせにより、照明器具の厚さを極めて小さくすることができ、かつ、内部の部品がより少なくなり、取り付け及びメンテナンスが容易になる。
【００２６】
図１から図３に示すように、本考案にて提供される極薄型照明器具の具体的な実施形態として、ベース７０の外周に係止板７３及び少なくとも２つの回転キャッチ７４が設けられており、係止板７３と少なくとも２つの回転キャッチ７４が同一直線上に位置せず、係止板７３と少なくとも２つの回転キャッチ７４は組み合わせて、ランプカバー６０をベース７０上に係止するために用いられる。このような係止板７３と回転キャッチ７４が組み合わせられる構造は、異なるランプカバー６０にマッチでき、使用者が自己の好みに応じてランプカバー６０を選択することを容易にするとともに、ランプカバー６０の取り外しを容易にする。
【００２７】
図１から図５に示すように、本考案にて提供される極薄型照明器具の具体的な実施形態として、下蓋１０の内孔の側壁に係着突起１５が設けられており、ベース７０上に係着突起１５と係着するための第２係着部材７２及び下蓋１０の内孔の側壁に支持するためのブラケット７１が設けられている。ブラケット７１は案内の役割を果たし、ランプドライバー体型モジュールのベース７０への装着を容易にし、第２係着部材７２とブラケット７１は組み合わせれば、ランプドライバー体型モジュールの取り付けを容易にする。
【００２８】
図１から図５に示すように、本考案にて提供される極薄型照明器具の具体的な実施形態として、第２係着部材７２は、下蓋１０の内孔の側壁を回って周方向に設置された複数の弾性係止片を備え、それぞれの弾性係止片はいずれも一端がベース７０に固着され、中央部に湾曲部を有し、湾曲部と嵌合するように、他端がジョー構造とし、ランプドライバー体型モジュールをしっかり係着する。
【００２９】
図１から図５に示すように、本考案にて提供される極薄型照明器具の具体的な実施形態として、ブラケット７１はサポートベルトを備え、サポートベルトは、両端がそれぞれ、下蓋１０の内孔の側壁に当接し、中央部が下蓋１０の内孔を跨り、かつ、中央部が外へ突き出す弧状構造であり、異なる仕様のランプドライバー体型モジュールをサポート及び適合するように、弧状構造の中央部に内への凹み構造が設けられている。
【００３０】
本考案にて提供される極薄型照明器具の具体的な実施形態として、極薄型照明器具はさらに、下蓋１０の内孔内に設けられ、かつ、サポートベルトの中央部に当接する電源アセンブリを備える。電源アセンブリは、照明器具が電源端子のない位置で使用できるように、蓄電池であってもよい。
【００３１】
以上は本考案の好ましい実施例にすぎず、本考案を限定するものではなく、本考案の趣旨及び原則から逸脱せず行われる任意の補正、同等の置換及び改良などは、いずれも本考案の保護範囲内に含まれる。
【符号の説明】
【００３２】
１０...下蓋、１１...収容溝、１２...切欠き、１３...絶縁バッフル、１４...接地用板ばね、１５...係着突起、２０...駆動アセンブリ、３０...放熱リング、４０...光源アセンブリ、５０...レンズ、６０...ランプカバー、７０...ベース、７１...ブラケット、７２...第２係着部材、７３...係止板、７４...回転キャッチ。
【図１】
0003230296.tif 000003
【図２】
0003230296.tif 000004
【図３】
0003230296.tif 000005
【図４】
0003230296.tif 000006
【図５】
0003230296.tif 000007